(57)【要約】【課題】防犯・防災警報機能を作動させるためのスイッチを玄関に設けずとも、セキュリティガイダンスに従った処置を慌てることなく行うことができるホームセキュリティ装置を提供する。【解決手段】外出の際、ユーザが携帯するセキュリティキー６をキー差込口５に差し込む。すると、制御部がセンサの検知状況からドアの開、スイッチの切り忘れなどの異常の有無を判断し、異常無しのとき、セキュリティキーのＩＤを読み込んでメモリに記憶されているＩＤ毎の時間から該当するＩＤの人の時間を読み取り、これをディレイ時間とする。【選択図】図１
2010003052.tif 000002
【特許請求の範囲】
【請求項１】
所望の箇所に取り付けられる装置本体に対し、使用者が所定の操作を行うと、セキュリティ準備モードに入ってセンサにより検知対象の異常の有無を検出し、異常有りのとき異常有りの検知対象を報知し、異常無しのとき、ディレイ時間をおいてセキュリティモードに入るホームセキュリティ装置において、
前記装置本体は、
人の識別情報に対応したディレイ時間を記憶した記憶手段と、
前記使用者に応じた識別情報が入力される入力手段と、
前記記憶手段から、前記入力手段に入力された識別情報を基にしてディレイ時間を取得し、当該取得したディレイ時間を今回の前記セキュリティモードに入るディレイ時間として設定する制御手段と
を具備してなるホームセキュリティ装置。
【請求項２】
請求項１記載のホームセキュリティ装置において、
前記入力手段には前記識別情報として前記使用者に応じて設定されたＩＤが入力され、
前記記憶手段には、前記ＩＤに対応して前記ディレイ時間が記憶されていることを特徴とするホームセキュリティ装置。
【請求項３】
請求項１記載のホームセキュリティ装置において、
前記記憶手段は、年令に対応するディレイ時間が設定された時間データテーブルと、前記使用者に応じて設定されたＩＤに対応する生年月日が記憶された使用者生年データとを有し、
前記制御手段は、計時手段の計時に基づき、本日の年月日を取得する暦日取得手段と、前記使用者の操作により前記ＩＤの入力があったとき、前記暦日取得手段から本日の年月日を取得し、且つ前記記憶手段の前記使用者生年データから前記入力されたＩＤに対応する生年月日を取得し、本日の年月日と生年月日とから前記入力されたＩＤの使用者の年令を演算する本日年令演算手段と、前記本日年令演算手段により演算された年令に対応するディレイ時間を前記記憶手段の前記時間データテーブルから取得するディレイ時間取得手段とを有し、前記ディレイ時間取得手段により取得したディレイ時間を今回の前記セキュリティモードに入るディレイ時間として設定することを特徴とするホームセキュリティ装置。
【請求項４】
請求項１記載のホームセキュリティ装置において、
前記装置本体とは別に、各使用者が保持するセキュリティキーを備え、
前記セキュリティキーは、前記装置本体と通信可能する通信手段と、使用者のＩＤおよび当該使用者の生年月日が記憶された記憶手段を有し、
前記装置本体の前記入力手段は、前記セキュリティキーの前記通信手段と通信して当該セキュリティキーから前記ＩＤおよび生年月日を取得する通信手段から構成され、
前記装置本体の前記記憶手段は、年令に対応するディレイ時間が設定された時間データテーブルを有し、
前記装置本体の前記制御手段は、計時手段の計時に基づき、本日の年月日を取得する暦日取得手段と、前記装置本体の前記通信手段が前記セキュリティキーから前記ＩＤと共に取得した前記生年月日および前記暦日取得手段が取得した本日の年月日から前記ＩＤの使用者の年令を演算する本日年令演算手段と、前記本日年令演算手段により演算された年令に対応するディレイ時間を前記記憶手段の前記時間データテーブルから取得するディレイ時間取得手段とを有し、前記ディレイ時間取得手段により取得したディレイ時間を今回の前記セキュリティモードに入るディレイ時間として設定することを特徴とするホームセキュリティ装置。
【請求項５】
請求項４記載の前記暦日取得手段および前記本日年令演算手段は、前記装置本体の前記制御手段に代えて前記セキュリティキーが有する制御手段に設けられ、
前記セキュリティキーの制御手段は、前記装置本体にＩＤを送信するとき、前記本日年令演算手段が前記暦日取得手段により取得された本日の年月日と前記記憶手段に記憶された生年月日とから取得した使用者の本日の年令をも送信し、
前記装置本体の前記ディレイ時間取得手段は、前記セキュリティキーから送信された年令に対応するディレイ時間を前記装置本体の前記記憶手段の時間データテーブルから取得することを特徴とするホームセキュリティ装置。
【発明の詳細な説明】
【技術分野】
【０００１】
本発明は、居住者が外出している間、防犯・防災警報機能を働かせるホームセキュリティ装置に関する。
【背景技術】
【０００２】
ホームセキュリティ装置は、コントローラによって居住者が外出している間、或いは睡眠している間、防犯・防災のための監視を行うものである。これは、居間などに設置されたコントローラが各種のセンサによってセキュリティを確認すべきガス、水道、電気、玄関や窓の戸締りなどを監視し、異常があった場合、これを検知して警報を発するというものである。
【０００３】
外出時にホームセキュリティ装置を働かせるには、まず、コントローラの外出モードスイッチをオンする。これにより、コントローラは外出モードとなり、セキュリティガイダンスを行う。セキュリティガイダンスとは、コントローラが各種のセンサにより、例えば窓が開いた状態になっていないか、ガス器具が点いていないか、水道が出しっぱなしになっていないか、冷蔵庫など常時使用の電気機器以外の電気機器が使用されたままとなっていないかなどを検知してメッセージを表示したり、音声アナウンスを発したりすることでガイダンスする機能である。このガイダンスに従い、窓を閉じたり、ガス器具や電気器具を切ったりするなどして外出しても良い状態にして外出する。コントローラは、外出モードスイッチがオンされた後、一定のディレイ時間をおいて防犯・防災警報機能を作動させる。
【０００４】
ところが、コントローラによる外出時の防犯・防災警報機能は、外出モードスイッチのオンから一定のディレイ時間の経過後に作動することとなっているので、その間に窓を閉じたり各種の機器の切り操作を行ったりしなければならない。上記のディレイ時間が短く設定されている場合には、若い人には良いが、お年寄りには時間が短すぎて、セキュリティガイダンスに従って窓を閉じたり各種の機器をオフしたりすることができなくなる。もし、上記ディレイ時間内に対処できない場合には、防犯・防災警報機能が作動して外出しようとしている家人を侵入者として警報を発する場合がある。かといって、お年寄りに合わせて上記ディレイ時間を長くすると、若い人の場合には、外出してから暫くしないと防犯・防災警報機能が作動しないという不具合を生ずる。
【０００５】
このような問題を解消するために、特許文献１では、コントローラに外出準備モードスイッチを設け、玄関に外出モード作動スイッチを設け、外出準備モードスイッチがオンされたときには、センサの検出結果によりセキュリティガイダンスを行い、外出モード作動スイッチがオンされたときには、防犯・防災警報機能を作動させるように構成している。
【特許文献１】特開昭６３−８６６６１号公報
【発明の開示】
【発明が解決しようとする課題】
【０００６】
上記特許文献１の構成では、外出の際、外出準備モードスイッチをオンしてセキュリティガイダンスに従って窓を閉じたり各種の機器をオフしたりする場合、これを一定の時間内に行わなければならないということがないので、セキュリティガイダンスに従った処置を慌てることなく行うことができ、また、外出しようとする家人を侵入者と誤って警報を発することもない。
【０００７】
しかしながら、特許文献１の構成では、コントローラの外出準備スイッチとは別に、玄関に外出モード作動スイッチを設けなければならず、しかも、居間などに設置されたコントローラと玄関に設けられた外出モード作動スイッチとの間をリード線で接続しなければならず、その配線工事を強いられるという問題がある。
【０００８】
本発明は上記の事情に鑑みてなされたもので、その目的は、防犯・防災警報機能を作動させるための玄関用スイッチなど、新たな部品を設けずとも、セキュリティガイダンスに従った処置を慌てることなく行うことができるホームセキュリティ装置を提供することにある。
【課題を解決するための手段】
【０００９】
請求項１の発明では、所定の操作を行う人に応じた識別情報が入力されると、その人の識別情報を基にして時間を記憶手段から取得し、当該取得した時間をディレイ時間としてセキュリティモードに入るので、操作する人が例えばお年寄りであった場合には、長めのディレイ時間が設定される。このため、所定の操作を行ってから、家を出るまでの間に慌しさを感じることなく、自分のペースで行動することができる。
【００１０】
請求項２の発明では、装置本体の記憶手段に、ＩＤに対応してディレイ時間が記憶されているので、入力されたＩＤから直接的にディレイ時間を設定することができる。
請求項３の発明では、装置本体の記憶手段に年令に対応するディレイ時間が設定された時間テーブルデータとＩＤに対応する使用者の生年月日が記憶された使用者生年データとが記憶され、ＩＤが入力されると、制御手段が本日の暦日と使用者の生年月日とから当該使用者の年令を演算し、その年令に応じたディレイ時間を時間テーブルデータから取得するので、長年継続使用しても、家人である使用者の実年令に応じたディレイ時間を設定することができる。
【００１１】
この場合、請求項４の発明のように、使用者が保持するセキュリティキーを設け、このセキュリティキーに使用者の生年月日を記憶させ、装置本体がセキュリティキーとの通信によって使用者の生年月日を取得するようにしても良い。
更に、請求項５のように、セキュリティキーに、本日の年月日と生年月日とから使用者の年令を演算する機能を持たせ、使用者の年令を装置本体に送信するように構成しても良い。
【発明を実施するための最良の形態】
【００１２】
以下、本発明の第１の実施形態を図１〜図６に基づいて説明する。図３はホームセキュリティ装置の概略構成を示すもので、居間などに設置された装置本体１に対し、有線、或いは無線、本実施形態では有線によって複数の各種センサ２が接続されている。上記の各種センサ２は、窓や出入口、ガス機器、水道、電気機器やコンセントなどに設けられ、これらの状況を検知する。
【００１３】
装置本体１の前面部には、図１に示すように、表示器３、操作部４、キー差込口５が設けられている。そのうち、表示器３は外出時のセキュリティガイダンスなどを文字表示によって行う（ガイダンス手段）。セキュリティガイダンスは、マイク（セキュリティ手段）から出力される音声によって行っても良い。操作部４は、モード設定用、ディレイ時間設定用などの各種のキースイッチから構成されている。キー差込口５は、家人が１人ずつ所有するセキュリティキー（情報記録媒体）６を差し込むためのもので、各セキュリティキー６のメモリ（記憶手段）６ａには、キー毎に異なるＩＤ（識別情報）が記憶されている。このセキュリティキー６には、メモリ６ａの他に、装置本体１との通信のための通信部（通信手段）６ｂ、メモリ６ａの読み書きや通信部６ｂの通信制御のための制御部６ｃが設けられている。
【００１４】
装置本体１は、その電気的構成を示す図２のように、制御部（制御手段）７を有し、この制御部７に前述の表示器３、操作部４が接続されている外、記憶手段メモリ（記憶手段）８、センサ用通信部９、キー用通信部（通信手段）１０、緊急報知用通信部１１、ブザー１２、時計部（計時手段）１３などが接続されている。上記制御部７は、セキュリティのための制御全般を担うもので、マイクロコンピュータを主体として構成されている。メモリ８は、例えばフラッシュメモリなどからなり、ＩＤ毎のディレイ時間などを記憶する。
【００１５】
また、センサ用通信部９は、各種センサ２と通信してその検知状況などを取得する。キー用通信部１０は、キー差込口５に差し込まれるセキュリティキー６と電磁結合方式にて通信する。緊急報知用通信部１１は、制御部７が各種センサ２から得た検知状況に基づいて防犯上或いは防災上の緊急事態が発生したと判断した場合に、電話回線などの通信網を介して警備会社などに緊急事態の発生を通報する。ブザー１２は、緊急事態の発生時、これをブザー音によって報知する。時計部１３は、計時機能を有し、計時情報を制御部７に与える。制御部７は、時計部１３の計時情報から本日の暦日（年月日）をカウントする。この制御部７の暦日カウント機能は、暦日取得手段として作用する。
【００１６】
さて、装置本体１は、外出時に各種センサ２の検知状況により異常無しと判断されてから防犯・防災警報機能を作動させるセキュリティモードに切り替るまでの時間（ディレイ時間）を、所定の操作、つまりセキュリティキー６をキー差込口５に差し込む操作を行った人に応じて変えることができるようになっている。この場合のディレイ時間は、メモリ８に記憶されている。本実施形態では、ディレイ時間となる時間は、ユーザが所望する時間を入力してメモリ８に記憶させる場合と、生年月日を入力してメモリ８に記憶させておくとその生年月日に基づいて自動的に定められる場合と、時間も生年月日も入力しない場合に規定時間に自動的に定められる場合とがある。
【００１７】
即ち、メモリ８には、図４（ａ）に示すように、家人が１人ずつ所有するセキュリティキー６のＩＤが記憶されていると共に、各ＩＤに一対一の関係で時間、生年月日（使用者生年データ）、ディレイ時間の設定方法を記憶できるようになっている。ここで、各ＩＤに対する生年月日の記憶は、使用者生年データに相当する。これら時間、生年月日および設定方法は、操作部４を操作して初期設定モードにすることによって、操作部４からの数値入力によりメモリ８に記憶させることができるように構成されている。
【００１８】
また、メモリ８には、生年月日から本日の年令を取得するための換算表、或いは計算式が記憶されている外、図４（ｂ）に示すように、年令に対応したディレイ時間を予め設定してなる時間テーブルデータが記憶されている。このため、生年月日と本日の暦日とから年令を求めることができるので、上記の時間テーブルデータからディレイ時間を取得することができる。更に、メモリ８には、ディレイ時間の入力も、生年月日の入力もなされない場合に備えて、一律に規定されたディレイ時間（規定時間）が記憶されている。
【００１９】
次に上記構成の作用を説明する。まず、メモリ８に時間または生年月日、設定方法を記憶させるには、操作部４を操作して装置本体１を初期設定モードにし、その上で、キー差込口５にセキュリティキー６を差し込んで、操作部４から所望の時間または生年月日、設定方法を入力する。なお、設定方法は、ディレイ時間を、入力された時間によるのか（ＩＤ毎の時間情報）、生年月日に基づいて定めるのか（ＩＤ毎の生年月日情報）、或いは、メモリ８に予め記憶されている規定時間によるのか、のいずれかを操作部４の操作によって選択するものである（選択手段）。
【００２０】
キー差込口５にセキュリティキー６が差し込まれると、ＩＤの入力手段としてのキー用通信部１０がセキュリティキー６に予め記録されているＩＤを読み込み、そして、制御部７は、入力された時間または生年月日、設定方法を、予めメモリ８に記憶されているＩＤのうち、キー用通信部１０によって読み込まれたＩＤに一致するＩＤに一対一の関係をもって書き込む。なお、時間と生年月日の両方を入力するようにしても良く、この場合には、時間と生年月日の両方がメモリ８に書き込まれるが、設定方法は、上記の３つの方法のうちから一つを選択するものである。また、ディレイ時間および生年月日のいずれも入力しないことであっても良いし、設定方法も入力しないことであっても良い。
【００２１】
さて、装置本体１（制御部７）が通常モードにあるときには、制御部７は、セキュリティキー６がキー差込口５に差し込まれた（セキュリティ操作）か否かを監視する状態にある（図５のステップＳ１）。家人が家を留守にする場合、装置本体１の防犯・防災警報機能を働かせる、つまり装置本体１をセキュリティモードにする必要がある。そのためには、外出しようとする家人が自身のセキュリティキー６をキー差込口５に差し込む（所定の操作）。
【００２２】
すると、キー用通信部１０がセキュリティキー６の差込を検出するため、これにより、制御部７は、セキュリティキー６の差し込みありと判断（ステップＳ１で「ＹＥＳ」）してセキュリティ準備モードに入り、キー用通信部１０にセキュリティキー６からＩＤを読み取らせる（ステップＳ２）。続いて、制御部７は、各種センサ２と通信して検知状況を取得し（ステップＳ３）、各センサ２の検知結果によってセキュリティモードに移行してよいか否かを判断する（ステップＳ４）。なお、このときは、玄関ドアの施錠はセンサ２による検知から除外される。
【００２３】
各種センサ２の検知状況により、異常を検出、例えば窓が開いた状態になっていたり、ガス器具が点いていたり、水道が出しっぱなしになっていたり、冷蔵庫など常時使用の電気機器以外の電気機器が使用されたままとなっていたりしていることを検出した場合、制御部７は、セキュリティ準備モードから外出準備モードに移行し、ガイダンス手段としての表示器３に異常個所と異常内容をメッセージ表示する（ステップＳ５）。そこで、ユーザは、一旦、セキュリティキー６をキー差込口５から抜き出し、そして、ガイダンスに従って、窓を閉じたり、ガス器具や電気器具を切ったりするなどして外出しても良い状態にする。
【００２４】
その後、再び、セキュリティキー６をキー差込口５に差し込むと、制御部７は、再びセキュリティ準備モード入ってセキュリティキー６のＩＤを取得し（ステップＳ１で「ＹＥＳ」、ステップＳ２）、続いて各種センサ２の検知状況からセキュリティモードに移行して良いか否かを判断する（ステップＳ３、ステップＳ４）。各種センサ２の検知状況に異常が無かった場合、制御部７は、セキュリティモードに移行して良いと判断し（ステップＳ４で「ＹＥＳ」）、ディレイ時間を設定する。
【００２５】
このディレイ時間の設定は、図６に示すように、まず、ディレイ時間の設定方法を判断する（ステップＡ１）。この設定方法は、メモリ８に記憶されているので、セキュリティキー６から読み取ったＩＤについての時間設定方法を取得する。そして、設定方法がＩＤ毎の時間情報であった場合、制御部７は、メモリ８に記憶されている時間をディレイ時間として設定する（ステップＡ２で「ＹＥＳ」、ステップＡ３）。
【００２６】
ＩＤ毎の生年月日情報により自動設定であった場合、制御部７は、時計部１３からの計時情報により演算した本日の暦日（年月日）を取得し（ステップＡ５で「ＹＥＳ」、ステップＡ６；暦日取得手段）、次いで、メモリ８に記憶されている使用者生年データから当該ＩＤの使用者の生年月日を取得して本日の暦日と生年月日とから使用者の年令を求め（ステップＡ７；本日年令演算手段）、そして、メモリ８に記憶されている時間テーブルデータから当該年令に対応したディレイ時間を読み出してこれを今回のディレイ時間とする（ステップＡ８；ディレイ時間取得手段）。
【００２７】
規定時間を設定する場合には、制御部７は、メモリ８に予め記憶されている規定時間をディレイ時間として設定する（ステップＡ１０）。なお、ディレイ時間の設定方法がＩＤ毎の時間情報或いはＩＤ毎の生年月日情報により自動設定する場合であっても、メモリ８にキー差込口５に差し込まれたセキュリティキー６のＩＤについて、ディレイ時間が設定されておらず、或いは生年月日が設定されていない場合には、制御部７は、規定時間をディレイ時間として設定する（ステップＡ２で「ＮＯ」、ステップＡ４、或いはステップＡ５で「ＮＯ」、ステップＡ９）。
【００２８】
そして、表示器３にガイダンス表示がなされなかった場合、ユーザは、キー差込口５からセキュリティキー６を抜き出し、玄関口から外へ出て玄関ドアを施錠する。制御部７は、キー差込口５からセキュリティキー６が抜き出されたことがキー用通信部１０によって検出された時点からタイムカウントを開始し、そして、ディレイ時間が経過したとことで、セキュリティモードへ移行する（図５のステップＳ７で「ＹＥＳ」、ステップＳ８）。
【００２９】
このとき、通常の場合、ディレイ時間は、その人に合わせた長さの時間であるから、ディレイ時間が経過するまでには玄関を施錠することができる。そして、玄関ドアの施錠後、短い時間のうちにディレイ時間が経過し、装置本体１はセキュリティモードに入る。なお、このセキュリティモードでは、玄関ドアの施錠はセンサ２による検知対象となることは勿論である。
【００３０】
このように本実施形態では、外出時にセキュリティキー６をキー差込口５に差し込むとセキュリティ準備モードに入って各種センサ２の検知状況により異常の有無を判断するが、異常有りのときにはディレイ時間がカウントされないので、ガイダンスに従った処置を行う場合、慌てずとも済む。
【００３１】
そして、異常無しとなったとき、その時点でディレイ時間が設定され、ディレイ時間のカウントが始まるが、そのディレイ時間は、外出しようとする人に応じた時間が設定されるので、短すぎたり、長すぎたりすることがなく、自分のペースでセキュリティ装置１の設置場所から玄関へと歩いてドアを施錠し、家を離れることができる。従って、特許文献１のように、玄関に防犯・防災警報機能を作動させるためのスイッチを設けずとも済む。このため、現在使用のホームセキュリティ装置にハード的な追加或いは変更を加えずとも、ソフトウエアの変更だけで良く、コスト的に有利である。
また、生年月日によりディレイ時間を決定するようにした場合には、長年の使用により、使用者の年令が高くなっても、実年令を計算してその年令に応じたディレイ時間を自動的に設定するので、長期使用に支承なく対応できる。
【００３２】
図７〜図９は、本発明の第２の実施形態を示す。この実施形態は、使用者が設定できるディレイ時間、生年月日をセキュリティキー６のメモリ６ａにも記憶することができるようにし、そして、装置本体１のメモリ８には、それらディレイ時間、生年月日を、装置本体１のメモリ８から取得するか、セキュリティキー６のメモリ６ａから取得するかの別を記憶するようにしたものである。
【００３３】
即ち、セキュリティキー６のメモリ６ａには、図７に示すように、自身のＩＤ、使用者が決めるディレイ時間、生年月日を記憶できる領域（個人データ領域）が設けられている。一方、装置本体１のメモリ８には、図８に示すように、更に、各ＩＤに対応して取得先データを書き込むことができるようになっている。この取得先データとは、ディレイ時間や生年月日のデータを装置本体１のメモリ８から取得するのか、セキュリティキー６のメモリ６ａから取得するのかの別を示すデータである。
【００３４】
セキュリティキー６のメモリ６ａにディレイ時間や生年月日を書き込むには、先の実施形態で説明したと同様に、装置本体１を初期設定モードにし、その上で、セキュリティキー６をキー差込口５に差し込む。そして、ディレイ時間や生年月日を入力し、格納先を装置本体１のメモリ８にするか、セキュリティキー６のメモリ６ａにするかの別を選択操作する。すると、そのディレイ時間や生年月日が選択されたメモリに格納される。なお、ディレイ時間や生年月日は、装置本体１およびセキュリティキー６のメモリ８および６ａの双方に記憶させるようにしても良い。
【００３５】
次に上記構成の場合のディレイ時間の設定について、図９を参照しながら説明する。図９のディレイ時間設定ルーチンに入ると、制御部７は、図５のステップＳ２で取得したセキュリティキー６のＩＤを基に、当該ＩＤの設定方法と取得先を読み取る（ステップＢ１）。設定方法がＩＤ毎の時間情報であった場合には、次に、取得先が装置本体１であったかセキュリティキー６であったかによって装置本体１のメモリ８から当該ＩＤのディレイ時間を読み取ったり（ステップＢ２、ステップＢ３）、セキュリティキー６のメモリ６ａから読み取ったりする（ステップＢ２、ステップＢ４）。この場合のセキュリティキー６のメモリ６ａからの読み取りは、装置本体１のキー用通信部１０とセキュリティキー６の通信部６ｂとの通信によって行われる。
【００３６】
設定方法がＩＤ毎の生年月日情報であった場合には、次に、取得先が装置本体１であったかセキュリティキー６であったかによって装置本体１のメモリ８から当該ＩＤのディレイ時間を読み取ったり（ステップＢ６、ステップＢ７）、セキュリティキー６のメモリ６ａから読み取ったりする（ステップＢ６、ステップＢ８）。この場合も、セキュリティキー６のメモリ６ａからの読み取りは、装置本体１のキー用通信部１０とセキュリティキー６の通信部６ｂとの通信によって行われる。生年月日を取得した後のディレイ時間の取得は、前述の第１の実施形態のステップＡ６〜ステップＳ８と同様のステップＢ９〜ステップＢ１１によって行われる。
【００３７】
なお、本発明は上記し且つ図面に示す実施形態に限定されるものではなく、以下のような拡張或いは変更が可能である。
装置本体１へのＩＤの入力は、セキュリティキー６をキー差込口５に差し込むことによって行うものに限られず、操作部７の操作により行うようにしても良い。
セキュリティ準備モードへ入るための操作は、操作部４の操作としても良い。
ＩＤ毎のディレイ時間、ＩＤ毎の生年月日は、セキュリティキー６に記憶するようにしても良い。
セキュリティキー６は、スティック型、カード型のいずれであっても良い。
セキュリティキー６と装置本体１との通信は、例えば電磁結合方式による非接触にて行うものに限られず、接触式にて行うものであっても良い。
時間テーブルデータをセキュリティキー６のメモリ６ａに記憶させ、そして、セキュリティキー６の制御部６ｂが自身の時計機能によって本日の暦日を演算し（暦日取得手段）、メモリ６ａの生年月日と本日の暦日とから本日の年令を演算し（本日年令演算手段）、時間テーブルデータからその年令に対応するディレイ時間を取得し（ディレイ時間取得手段）、装置本体１に送信するように構成しても良い。
【図面の簡単な説明】
【００３８】
【図１】本発明の第１の実施形態を示すもので、ホームセキュリティ装置の装置本体の正面図
【図２】装置本体の電気的構成を示すブロック図
【図３】ホームセキュリティ装置の全体構成を示す概略図
【図４】装置本体のメモリの記憶内容を示すもので、（ａ）は各ＩＤに対応する記憶内容の概念図、（ｂ）は年齢層別のディレイ時間の記憶内容を示す概念図
【図５】装置本体の動作内容を示すフローチャート
【図６】ディレイ時間の設定内容を示すフローチャート
【図７】本発明の第２の実施形態を示すもので、セキュリティキーのメモリの記憶内容を示す概念図
【図８】装置本体のメモリの記憶内容を示す概念図
【図９】ディレイ時間の設定内容を示すフローチャート
【符号の説明】
【００３９】
図面中、１は装置本体、２はセンサ、５はキー差込口、６はセキュリティキー、６ａはメモリ（記憶手段）、６ｂは通信部（通信手段）、６ｃは制御部、７は制御部（制御手段、暦日取得手段、本日年令演算手段）、８はメモリ（記憶手段）、１０はキー用通信部（入力手段、通信手段）、１３は時計部（計時手段）である。
【図１】
2010003052.tif 000003
【図２】
2010003052.tif 000004
【図３】
2010003052.tif 000005
【図４】
2010003052.tif 000006
【図５】
2010003052.tif 000007
【図６】
2010003052.tif 000008
【図７】
2010003052.tif 000009
【図８】
2010003052.tif 000010
【図９】
2010003052.tif 000011